(57)【要約】【課題】サムターン回しを有効に防止可能なサムターンを提供すること。【解決手段】サムターンケース２とサムターンケース２に挿抜可能に連結される調整リング３と調整リング３及びサムターンケース２に挿入されたサムターン本体４と調整リング３とサムターン本体４との間に介在された弾性手段６とサムターン本体４の移動を制限するための係止手段７を具備し、サムターン本体４は、カムの係合突起の位置が変更された場合はカムとの係合を不可能にするジョイント部４０２と長手方向に直交して突出させたピン４０４を備え、サムターンケース２は調整リング３を挿装可能な挿入部２０５とサムターン本体４を貫通可能な貫通孔２０４とケース側歯合部２０１を備え、調整リング３はサムターン本体４を貫通可能なリング側貫通孔３０５と前記ピン４０４が通過可能な溝３０６とケース側歯合部２０１に歯合可能なリング側歯合部３０３を備えた。【選択図】              図１
2004278027.tif 000002
【特許請求の範囲】
【請求項１】
錠前のケースボックスに装着されるサムターンであって、
ケースボックスに装着されるサムターンケース（２）と、
該サムターンケース（２）に挿抜可能に連結される調整リング（３）と、
該調整リング（３）及び前記サムターンケース（２）に進退自在に挿入されたサムターン本体（４）と、
前記調整リング（３）とサムターン本体（４）との間に介在され、調整リング（３）とサムターン本体（４）とを互いに反発し合う方向へ付勢するするための弾性手段（６）と、
前記サムターン本体（４）の反ケースボックス側への移動を制限するための係止手段（７）と、を具備し、
前記サムターン本体（４）は、その先端部に備えた、ケースボックス内に備えたカムに係合可能であるとともに、カムが任意の角度だけ回動して係合突起の位置が変更された場合にはカムとの係合を不可能にする形状に形成したジョイント部（４０２）と、その長手方向に直交する方向に向けて突出させたピン（４０４）と、を備えるとともに、通常の静止状態においてはジョイント部（４０２）がカムに係合しない配置で前記調整リング（３）及び前記サムターンケース（２）に進退自在に挿入されており、
前記サムターンケース（２）は、前記調整リング（３）の先端部近傍を挿装可能なリング挿入部（２０５）と、前記サムターン本体（４）を貫通可能な貫通孔（２０４）と、その上端部に形成したケース側歯合部（２０１）と、を備え、
前記調整リング（３）は、前記サムターン本体（４）を貫通可能なリング側貫通孔（３０５）と、該リング側貫通孔（３０５）に連設した、前記サムターン本体（４）に突出させたピン（４０４）が通過可能な通過溝（３０６）と、前記ケース側歯合部（２０１）に歯合可能なリング側歯合部（３０３）と、を備えたことを特徴とするサムターン。
【請求項２】
前記サムターンケース（２）の外周に化粧リング（５）を着脱自在に装着したことを特徴とする請求項１に記載のサムターン。
【請求項３】
前記弾性体（６）としてスプリングを用いたことを特徴とする請求項１又は請求項２に記載のサムターン。
【請求項４】
前記係止手段（７）としてＥリングを用いたことを特徴とする請求項１乃至請求項２のいずれかに記載のサムターン。
【発明の詳細な説明】
【０００１】
【発明の属する技術分野】
本発明は、錠前に用いられるサムターンに係り、より詳しくは、サムターン本体を進退自在にすることにより、いわゆるサムターン回しに対応可能としたサムターンに関する。
【０００２】
【従来の技術】
一般的に、錠前は、ドア内部に挿装されるケースボックスを備えており、このケースボックスにはカムが回動自在に内蔵され、このカムを回動することによってデッドボルトを進退させて施錠あるいは解錠を可能としている。そして、このケースボックスには、屋外側からはシリンダー錠が、そして屋内側からはサムターンが装着されるとともに、シリンダー錠におけるジョイント部、及びサムターンにおける先端部がそれぞれ前記カムに係合され、これにより、屋外からは鍵板を回動することにより、また屋内側からはサムターンつまみを回動することにより、デッドボルトを回動して施錠及び解錠を可能としている。
【０００３】
即ち、図１３はこの関係を示す図であり、図において３１がケースボックスである。そしてこのケースボックス３１には、デッドボルト３３及びラッチ３７が進退自在に備えられているとともに、このデッドボルト３３に連結されたカム３２が回動自在に備えられており、カム３２の回動によりデッドボルトを進退自在にし、また、ケースボックスに装着されたレバー４０の操作によりラッチ３７の進退を自在にしている。
【０００４】
そして、屋内側からはサムターン３９が、また屋外側からはシリンダー錠３８が、前記ケースボックス３１に装着されるとともに、サムターン３９の先端部、及びシリンダー錠のジョイント部がそれぞれ、前記カム３２に連結され、これにより、屋内側からは、サムターンのつまみ３９０１を回動することでデッドボルト３３の進退を操作して施錠あるいは解錠を可能とし、また屋外側からは、シリンダー錠に差し込んだ鍵板（図示せず）を回動することでデッドボルト３３の進退を操作して施錠あるいは解錠を可能としている。
【０００５】
ここで、図１４は、前記カム３２の正面を示した図であり、一般的にカム３２は、略円筒形状であるとともに、長手方向に沿った両端面には、係合突起３４が形成されている。
【０００６】
一方、シリンダー錠の先端部には、前記係合突起３４に係合可能なジョイント部３５が形成されており、シリンダー錠をケースボックスに装着する際には、図１５に示すように、シリンダー錠におけるジョイント部３５が前記カム３２の係合突起３４に係止可能な配置で行なわれる。そしてこれにより、鍵板を回動することで前記ジョイント部３５を回動させ、これにより、屋外側からデッドボルト３３を進退することを可能としている。
【０００７】
また一方、屋内側からケースボックス３１に装着されるサムターンの先端部３６もまた、前記カム３２の係合突起３４に係止可能な形状とされており、サムターンをケースボックスに装着する際には、図１６に示すように、サムターンの先端部３６が前記カム３２の係合突起３４に係止可能な配置で行なわれ、これにより、サムターンを回動することで、屋内側からデッドボルト３３を進退することを可能としている。
【０００８】
ところで、近年のピッキングの増加により、これに対応させた各種の防犯用のシリンダー錠が提供され始めているが、この防犯用シリンダー錠では対応不可能な不正解錠としての「サムターン回し」という方法による被害が増大している。
【０００９】
ここで、この「サムターン回し」とは、ドリル等によってドアに孔をあけ、この孔を介して屋内側に特殊な工具等を指し入れ、この工具によってサムターンつまみを直接回動して解錠する方法である。
【００１０】
このように、最近になり増大しているこの方法によれば、屋内側からのサムターンつまみの操作によって解錠するために、ピッキング対応のシリンダー錠を用いた場合でも対応できないという問題点がある。
【００１１】
この点、この「サムターン回し」に対向するためにサムターンの周囲をキャップ等で覆うという方法も一部では考えられているが、この方法を採用した場合であっても、キャップを外されてしまいサムターンを回されてしまうおそれがあり有効な対応とは言いがたい。
【００１２】
また、このような「サムターン回し」を防止可能なサムターンとして、サムターン軸に固着した軸側クラッチ板と、サムターン摘みに固着した、前記軸側クラッチに圧接可能な摘み側クラッチ板と、軸側クラッチ板と摘み側クラッチ板とを離反方向に付勢するクラッチバネを用いて、これにより、摘みを扉方向となる軸方向に押し、両クラッチを圧接状態としなければ摘みの回動操作がサムターン軸に伝わらないようにした技術が開示されている。
【００１３】
【特許文献１】
特開２００３−５６２２０号公報（第１図）
【００１４】
【発明が解決しようとする課題】
しかしながら、この方法では、何らかの手法によりサムターン摘みを扉方向に押すことが可能となった場合には有効に「サムターン回し」を防止できないという問題点が考えられる。
【００１５】
そこで、本発明は、サムターン回しを有効に防止可能なサムターンを提供することを課題としている。
【００１６】
【課題を解決するための手段】
本発明のサムターンは、
錠前のケースボックスに装着されるサムターンであって、
ケースボックスに装着されるサムターンケースと、
該サムターンケースに挿抜可能に連結される調整リングと、
該調整リング及び前記サムターンケースに進退自在に挿入されたサムターン本体と、
前記調整リングとサムターン本体との間に介在され、調整リングとサムターン本体とを互いに反発し合う方向へ付勢するするための弾性手段と、
前記サムターン本体の反ケースボックス側への移動を制限するための係止手段と、を具備し、
前記サムターン本体は、その先端部に備えた、ケースボックス内に備えたカムに係合可能であるとともに、カムが任意の角度だけ回動して係合突起の位置が変更された場合にはカムとの係合を不可能にする形状に形成したジョイント部と、その長手方向に直交する方向に向けて突出させたピンと、を備えるとともに、通常の静止状態においてはジョイント部がカムに係合しない配置で前記調整リング及び前記サムターンケースに進退自在に挿入されており、
前記サムターンケースは、前記調整リングの先端部近傍を挿装可能なリング挿入部と、前記サムターン本体を貫通可能な貫通孔と、その上端部に形成したケース側歯合部と、を備え、
前記調整リングは、前記サムターン本体を貫通可能なリング側貫通孔と、該リング側貫通孔に連設した、前記サムターン本体に突出させたピンが通過可能な通過溝と、前記ケース側歯合部に歯合可能なリング側歯合部と、を備えたことを特徴としている。
【００１７】
本発明のサムターンでは、調整リングとサムターン本体との間に弾性手段を介在することにより、調整リングとサムターン本体とを互いに反発し
合う方向へ付勢するとともに、通常の状態では、前記サムターン本体とカムとの係合を阻止している。
【００１８】
そのため、単にサムターン本体を回したのみではカムを回すことができず、カムを回すためには、弾性手段の付勢力に対抗させながらサムターン本体をケースボックス側へ押し込まなければならない。そのため、特殊な工具等を用いた場合であっても、屋外側からサムターンを操作することによるカムを回すことは容易では無く、これにより、サムターン回しを防止することが可能となる。
【００１９】
また、本発明においては、通常の状態では、前記サムターン本体とカムとの係合を阻止しており、カムを回すためには、弾性手段の付勢力に対抗させながらサムターン本体をケースボックス側へ押し込まなければならない構成にしているとともに、前記サムターン本体の先端部に備えたジョイント部を、ケースボックスに対して内に備えたカムに係合可能であるとともに、カムが任意の角度だけ回動した場合にはカムとの係合を不可能にする形状に形成しているため、鍵板による屋外からの施錠によりカムの係合突起の位置が変わった場合には、サムターン本体をケースボックス側に押し込んでもカムに係合させることができない。そのため、鍵板による施錠の後に、何らかの手法によりサムターン本体をケースボックス側へ押し込むことができたとしても、サムターン本体をカムに係合させることはできず、かかる場合には、サムターン回しによる不正解錠は不可能である。
【００２０】
そしてこのとき、本発明においては、前記サムターン本体にその長手方向に直交する方向に向けてピンを突出するとともに、このピンが通過可能な通過溝を調整リングに形成し、ピンが通過溝を通過可能な位置にある場合にのみサムターン本体を押し込むことを可能としているため、ジョイント部がカムに係合可能な位置になるようにサムターン本体を回動した場合には、サムターン本体のピン位置が変更されてしまい、これによりピンが通過溝を通過することができなくなってしまうため、サムターン本体をケースボックス側へ押し込むことができず、これによっても、サムターン回しによる不正解錠を行なうことは不可能になる。
【００２１】
一方、本発明では、前記サムターンケースの上端部にケース側歯合部を形成するとともに、このケース側歯合部に歯合可能なリング側歯合部を調整リングに形成しており、ケース側歯合部とリング側歯合部を歯合することによって、サムターンケースに調整リングを挿抜可能に連結するとともに調整リングの回動を不可能にしているが、前記弾性手段の付勢力に対向させて調整リングを反ケースボックス側へ移動してケース側歯合部とリング側歯合部の歯合を解除することによって調整リングを回動自在にすることが可能であるために、鍵板による屋外からの施錠によりカムの係合突起の位置が変わった場合において、弾性手段の付勢力に対向させて調整リングを反ケースボックス側へ移動してケース側歯合部とリング側歯合部の歯合を解除した後に、変更されたカムの係合突起に係合可能な位置でサムターン本体をケースボックス側へ押し込むことができる位置に調整リングを回動することにより、屋内側から正当に解錠することが可能となる。
【００２２】
【実施例】
本発明のサムターンの実施例について図面を参照して説明すると、図１は、本実施例のサムターンの構造を説明するための縦断面図、また、図２は本実施例のサムターンの正面図、更に、図３は本実施例のサムターンを分解して示した図であり、図において１が本実施例のサムターンである。
【００２３】
そして、本実施例のサムターン１は、使用に際してドア内部に挿装されたケースボックスに装着されるサムターンケース２に、調整リング３が挿抜可能に連結されており、この調整リング３及び前記サムターンケース２を、サムターン本体４が進退自在に貫通している。また、前記調整リング３とサムターン本体４との間には、弾性手段としてのスプリング６が介在されており、このスプリング６の付勢力により、前記調整リング３とサムターン本体４とは互いに反発し合う方向へ付勢されているとともに、サムターン本体４は、静止状態においては、そのジョイント部がカムに係合しない位置とされている。更に、前記サムターン本体４には係止手段としてのＥリング７が装着されており、これにより、前記サムターン本体４の反ケースボックス側への移動が制限されるとともに、静止状態における調整リング３及びサムターン本体４の位置を固定している。
【００２４】
ここで、前記サムターンケース２について説明すると、このサムターンケース２は、略円筒形状としており、上端部には凹凸形状のケース側歯合部２０１が形成され、また、その略中央部外周にはネジきりが施されており、この部分が、後述する化粧カバー５を螺合するための螺合部２０２とされている。
【００２５】
また、前記ケース側歯合部２０１に対向する側は、ケースボックスに連結される連結部２０３とされており、その形状はケースボックスにおける、サムターン装着箇所の形状に対応可能な任意形状とされる。
【００２６】
また、サムターンケース２の内部には、サムターン本体４が貫通可能な、小径のサムターン貫通孔２０４が形成されており、このサムターン貫通孔２０４に連続して、その上方には、中径の調整リング挿入孔２０５が形成されており、この調整リング挿入孔２０５の上部は、調整リング３を係止するための係止部２０６が形成されている。
【００２７】
次に、本実施例における前記調整リング３は、略円筒形状であり、その下端部近傍を、前記調整リング挿入孔２０５内に挿入可能な径にした挿入部３０１にするとともに、この挿入部３０１の上部周辺部を肩部３０７としており、挿入部３０１を前記調整リング挿入孔２０５内に挿入することにより、前記係止部２０６に肩部３０７が係止されている。
【００２８】
また、調整リング３の上端部は、その肉厚をやや厚めにすることにより外径をやや大きめにしてつまみ部３０２にするとともに、このつまみ部３０２に連続して、下端部側には、前記ケース側歯合部２０１に歯合可能なリング側歯合部３０３が形成されている。
【００２９】
更に、調整リング３の内周部任意の箇所には棚部３０４が形成されるとともに、この棚部３０４の略中央部分には、サムターン本体４が貫通可能な径とされた、リング側貫通孔３０５が形成されている。
【００３０】
ここで、図６は調整リング３の平面を示した図であり、本実施例においては、前記リング側貫通孔３０５に連続して、細長形状の通過溝３０６が形成されている。
【００３１】
次に、前記サムターン本体４について説明すると、本実施例におけるサムターン本体４は、略円柱形状の軸部４０１を備えており、この軸部４０１に連続して、カムに係合されるジョイント部４０２が形成されている。
【００３２】
ここで、このジョイント部４０２について説明すると、一般的にカムは、サムターンの先端部あるいはシリンダー錠におけるジョイント部によって回動されるため、サムターンの先端部及びシリンダー錠のジョイント部と係合される係合突起を備えている（図１４乃至図１６参照における３４）。そこで、本実施例における前記ジョイント部４０２は、サムターン本体４を回動した場合に、特定の位置でのみカムに係合可能な形状に形成した。具体的には、図７及び図８に示すように、対向する箇所に、カムに形成された係合突起間に嵌合可能な一対のサムターン側係合突起４０３を形成し、これにより、図８に示すように、係合突起４０３がカムにおける係合突起間に嵌合した場合にのみ、ジョイント部４０２がカムに係合可能としている。
【００３３】
次に、サムターン本体４の前記軸部４０１における反ジョイント部側には、大径の台座部４０５及びこの台座部４０５に連続したサムターンつまみ４０６が連設され、つまみ４０６を介してサムターン本体４を回動可能としている。
【００３４】
また、前記軸部４０１における台座部４０５の近傍には、軸部４０１の長手方向に直交する方向へ向けてピン４０４が突出されており、このピン４０４は、前記調整リング３における前記リング側貫通孔３０５に連続して形成された通過溝３０６を通過可能とされている。
【００３５】
そして、このように構成されるサムターン本体４は、軸部４０１がサムターンケース２におけるケース側貫通孔２０４、及び調整リング３におけるリング側貫通孔３０５を貫通するようにして、前記台座部４０５を前記調整リング３の棚部３０４上に載置するとともに、棚部３０４と台座部４０５との間にはスプリング６を介在させている。
【００３６】
また、サムターン本体４の装着に際しては、軸部４０１とジョイント部４０２間に形成した係合溝４０７内に、係止手段としてのＥリング７を装着するとともに、このＥリング７を、ケース側貫通孔２０４の下端部周辺部に係止して、これにより、静止状態におけるサムターン本体４の位置を固定するとともに、サムターン本体４の反ケースボックス側への移動を制限し、更にこれにより調整リング３の位置も固定している。
【００３７】
そして、更に、通常の状態においては、サムターン本体４のジョイント部４０２がカムに係合しない配置において、及び通常の状態においてはサムターン本体４に形成したピン４０４が調整リング３における棚部３０４よりも反ケースボックス側に位置して通過溝３０６を通過していないような配置において、サムターン本体４を装着している。
【００３８】
なお、図７における４０８は軸部４０１に形成した長溝部であり、この長溝部４０８は、サムターン本体４を特定の位置まで回動した際に節度感を出すために用いられている。即ち、本実施例においては、ケース側貫通孔２０４内周に外部に連通する小孔２０７を形成し、この小孔２０７内に小球８を挿入するとともに、スプリング９を介してこの小球８をネジ１０により押圧する一方、軸部４０１の外周部により小孔８がケース側貫通孔２０４側へ落下することを防止している。そして、調整リング３に対するサムターン本体４の回動位置が、調整リング３に形成した通過溝３０６をサムターン本体４におけるピン４０４が貫通可能な位置にある場合に、小球８がわずかに長溝部４０２内に埋没可能なようにして長溝部４０２を形成している。そのため、サムターン本体４を回動して通過溝３０６をピン４０４が貫通可能な位置まで来た場合には、小球８の一部が長溝部４０２に入り込み、これにより節度感を出すことが可能である。
【００３９】
また、図１乃至図３において５は化粧カバーであり、本実施例においては、側面形状を略台形状にするとともに内周面にネジきりを施した化粧カバー５を、前記サムターンケース２の外周部に螺合している。
【００４０】
次に、このように構成される本実施例のサムターン１の作用について説明すると、図９は本実施例のサムターン１をケースボックス１１に装着した静止を示す図であり、この状態においては、サムターン本体４におけるジョイント部４０２はカム１２には係合しておらず、従ってサムターン本体４を回動しても解錠あるいは施錠を行なうことは不可能である。
【００４１】
一方、図９の状態においてサムターン本体４をケースボックス１１側に押し込むことによりピン４０４が通過溝３０６を通過するとともにサムターン本体４のジョイント部４０２がカム１２に係合可能であると想定すると、サムターン本体４を押し込むことにより、図１０に示すように、ジョイント部４０２がカム１１に係合され、これにより、サムターン本体４の回動により施錠あるいは解錠が可能となる。
【００４２】
このように、本実施例のサムターンでは、まず、サムターン本体４をケースボックス１１側へ押し込まなければ解錠することができないために、サムターン回しによる方法によっても容易に不正解錠を行なうことは困難である。
【００４３】
次に、図９の状態において、屋外側から鍵板を用いて施錠した場合を想定すると、この場合には、カム１２における係合突起の位置が変更になる。一般的には施錠あるいは解錠の場合にはカム１２が約９０度回動し、それに伴って係合突起１２０１の位置も約９０度その角度が変更になる。
【００４４】
そしてこの場合には、サムターン本体４をケースボックス側に押し込んだ場合でも、ジョイント部４０２をカム１２に係合させることはできず、従って屋内側からにおいても解錠は不可能になる。
【００４５】
即ち、図１１において、（Ａ）及び（Ｃ）は施錠前の状態であり、この状態においては、点線で示したジョイント部４０２がカム１２の係合突起１２０１に係合可能であると想定する。
【００４６】
そうすると、本実施例におけるジョイント部４０２は、前述したように、カム１２に形成された係合突起１２０１間に嵌合可能な係合突起４０３を対向する２箇所にのみ形成しているために、カム１２とジョイント部４０２が係合している状態において鍵板を回動してシリンダー錠におけるジョイント１３によりカム１２を回動した場合は、その回動角度が約１８０度でない限りはカム１２とジョイント部４０２を係合させることができない。従って、鍵板によって施錠することによりカム１２の係合突起１２０１の位置が約９０度変更された場合（図１１（Ｂ））には、図１１（Ｄ）で点線で示すように、サムターン本体４を押し込んだ場合でもジョイント部４０２の係合突起４０３がカム１２の係合突起１２０１にぶつかってしまい、ジョイント部４０２とカム１２とを係合させることはできない。
【００４７】
またこのとき、本実施例のサムターン１では、調整リング３との関係において、ピン４０４が通過溝３０６を通過可能な位置においてのみサムターン本体４をケースボックス側へ押し込むことができるように構成しているため、図１１（Ｄ）に示す状態において、ジョイント部４０２がカム１１２に係合可能な位置になるようにサムターン本体４を回動した場合には、ピン位置が変更されてしまうことによりピン４０４が通過溝３０６を通過することができず、サムターン本体４をケースボックス１１側へ押し込むことができず、この場合にも結局、解錠することが不可能である。
【００４８】
このように、本実施例のサムターン１では、施錠によりカム１２における係合突起１２０１の位置が変更になることに着目し、鍵板による施錠の場合にはカムとジョイント部との係合を不可能にしており、更に、調整リング３との関係においてサムターン本体４を押し込むことができる位置を固定しているため、鍵板による施錠の場合に、サムターン本体４をケースボックス側へ押し込むことを何らかの方法によって可能にした場合において、ジョイント部４０２カム１１２に係合可能な位置になるようにサムターン本体４を回動した場合であっても、サムターン本体４をケースボックス側へ押し込むことができない。従って、これによって不正解錠を確実に防止することが可能である。
【００４９】
次に、鍵板による施錠の後に屋内側からの正常な解錠方法を行なう場合について説明すると、かかる場合には、図１１（Ｄ）に示す状態において、図１２に示すように、まず、スプリング６の付勢力に対抗させながら調整リング３を反ケースボックス側に引き上げて、調整リング３とサムターンケース２との歯合を解除する。そしてその後に、調整リング３をカム１２の回動方向と同方向へ約９０度回動するとともに、サムターン本体４も同方向へ約９０度回動する。
【００５０】
そうすると、サムターン本体４の回動により、ジョイント部４０２をカム１２に係合可能な位置にすることができるとともに、調整リング３の回動により、この状態でのサムターン本体４の押し込みが可能となり、従って、この状態でサムターン本体４を押し込んで回動することにより解錠することが可能となる。そしてそのためには、まず調整リング３を引き上げ、次に引き上げた状態で調整リング３を回動し、その後、サムターン本体４を回動するとともにケースボックス側へ押し込む、という一連の操作が必要であるために、ドアに孔をあけ、この孔を介して屋外側から行なうのは困難である。
【００５１】
このように、本実施例のサムターンによれば、最近になり増大しているいわゆる「サムターン回し」にも十分対抗することが可能である。
【００５２】
【発明の効果】
本発明のサムターンは以上説明した形態で実施され、以下に記載するような効果を奏する。
【００５３】
本発明のサムターンでは、調整リングとサムターン本体との間に弾性手段を介在することにより、調整リングとサムターン本体とを互いに反発し合う方向へ付勢するとともに、通常の状態では、前記サムターン本体とカムとの係合を阻止しているため、単にサムターン本体を回したのみではカムを回すことができず、カムを回すためには、弾性手段の付勢力に対抗させながらサムターン本体をケースボックス側へ押し込まなければならない。そのため、特殊な工具等を用いた場合であっても、屋外側からサムターンを操作することによるカムを回すことは容易では無く、これにより、サムターン回しを防止することが可能となる。
【００５４】
また、本発明においては、通常の状態では、前記サムターン本体とカムとの係合を阻止しており、カムを回すためには、弾性手段の付勢力に対抗させながらサムターン本体をケースボックス側へ押し込まなければならない構成にしているとともに、前記サムターン本体の先端部に備えたジョイント部を、ケースボックスに対して内に備えたカムに係合可能であるとともに、カムが任意の角度だけ回動した場合にはカムとの係合を不可能にする形状に形成しているため、鍵板による屋外からの施錠によりカムの係合突起の位置が変わった場合には、サムターン本体をケースボックス側に押し込んでもカムに係合させることができない。そのため、鍵板による施錠の後に、何らかの手法によりサムターン本体をケースボックス側へ押し込むことができたとしても、サムターン本体をカムに係合させることはできず、かかる場合には、サムターン回しによる不正解錠は不可能である。
【００５５】
そしてこのとき、本発明においては、前記サムターン本体にその長手方向に直交する方向に向けてピンを突出するとともに、このピンが通過可能な通過溝を調整リングに形成し、ピンが通過溝を通過可能な位置にある場合にのみサムターン本体を押し込むことを可能としているため、ジョイント部がカムに係合可能な位置になるようにサムターン本体を回動した場合には、サムターン本体のピン位置が変更されてしまい、これによりピンが通過溝を通過することができなくなってしまうため、サムターン本体をケースボックス側へ押し込むことができず、これによっても、サムターン回しによる不正解錠を行なうことは不可能になる。
【図面の簡単な説明】
【図１】本発明のサムターンの実施例を説明するための縦断面図である。
【図２】本発明のサムターンの実施例を説明するための正面図である。
【図３】本発明のサムターンの実施例を分解した状態を示す図である。
【図４】本発明のサムターンの実施例におけるサムターンケースの縦断面図である。
【図５】本発明のサムターンの実施例における調整リングの縦断面図である。
【図６】本発明のサムターンの実施例における調整リングの平面図である。
【図７】本発明のサムターンの実施例におけるサムターン本体を示す図である。
【図８】本発明のサムターンの実施例におけるサムターン本体のジョイント部を説明するための図である。
【図９】本発明のサムターンの実施例の作用を説明するための図である。
【図１０】本発明のサムターンの実施例の作用を説明するための図である。
【図１１】本発明のサムターンの実施例の作用を説明するための図である。
【図１２】本発明のサムターンの実施例の作用を説明するための図である。
【図１３】一般的な錠前を説明するための図である。
【図１４】一般的な錠前におけるカムの正面を示した図である。
【図１５】一般的な錠前におけるカムとシリンダー錠との係合関係を説明するための図である。
【図１６】一般的な錠前におけるカムとサムターンとの係合関係を説明するための図である。
【符号の説明】
１    サムターン
２    サムターンケース
２０１    ケース側歯合部
２０２    螺合部
２０３    連結部
２０４    ケース側貫通孔
２０５    調整リング挿入孔
２０６    係止部
２０７    小孔
３    調整リング
３０１    挿入部
３０２    つまみ部
３０３    リング側歯合部
３０４    棚部
３０５    リング側貫通孔
３０６    通過溝
４    サムターン本体
４０１    軸部
４０２    ジョイント部
４０３    係合突起
４０４    ピン
４０５    台座部
４０６    サムターンつまみ
４０７    係合溝
４０８    長溝部
５    化粧カバー
６    スプリング
７    Ｅリング
８    小球
９    スプリング
１０    ネジ
１１    ケースボックス
１２    カム
１２０１    係合突起
１３    シリンダー錠におけるジョイント部
【図１】
2004278027.tif 000003
【図２】
2004278027.tif 000004
【図３】
2004278027.tif 000005
【図４】
2004278027.tif 000006
【図５】
2004278027.tif 000007
【図６】
2004278027.tif 000008
【図７】
2004278027.tif 000009
【図８】
2004278027.tif 000010
【図９】
2004278027.tif 000011
【図１０】
2004278027.tif 000012
【図１１】
2004278027.tif 000013
【図１２】
2004278027.tif 000014
【図１３】
2004278027.tif 000015
【図１４】
2004278027.tif 000016
【図１５】
2004278027.tif 000017
【図１６】
2004278027.tif 000018